(57)【要約】  人間のための健康的な嗜好用吸気装置であって、唾液に容易に溶解する芳香粉末を含んだ管状部分と粉末を口中に分散させるマウスピースとを有している。管状部分は使用者が装置を介して吸気したときに粉末と空気との混合を計量供給する手段を含んでいる。装置、管状部分およびマウスピースについて種々の形状が開示されている。【特許請求の範囲】
【請求項１】
管状部分と、マウスピースと、管状部分中の芳香粉末と、吸気に反応してマウスピースを介して空気を導入する空気導入手段と、空気と粉末との混合を計量供給して２相流を形成する計量供給手段とを有してなる嗜好用吸気装置。
【請求項２】
マウスピースの中心線に対してある角度で２相流中で粉末を分布するマウスピース中の分布手段を有してなることを特徴とする請求項１に記載の装置。
【請求項３】
空気を粉末と混合する領域を有してなることを特徴とする請求項１に記載の装置。
【請求項４】
空気導入手段と空気と粉末を混合する計量供給手段とが同じ物理的構造であることを特徴とする請求項１に記載の装置。
【請求項５】
芳香粉末が顆粒形態であることを特徴とする請求項１に記載の装置。
【請求項６】
顆粒状の芳香粉末が被覆顆粒を含んでいることを特徴とする請求項５に記載の装置。
【請求項７】
顆粒が少なくとも１種の芳香材に加えて甘味料とクエン酸とを含んでいることを特徴とする請求項５に記載の装置。
【請求項８】
顆粒状の芳香粉末が個別に甘味料、クエン酸または芳香材を含んだ顆粒の混合物であることを特徴とする請求項５に記載の装置。
【請求項９】
芳香粉末中の芳香材がミント、コーヒー、紅茶、果物および芳香ハーブからなる群から選ばれることを特徴とする請求項１に記載の装置。
【請求項１０】
芳香粉末がニコチン添加剤を含んでいることを特徴とする請求項１に記載の装置。
【請求項１１】
顆粒中の芳香材がミント、コーヒー、紅茶、果物および芳香ハーブからなる群から選ばれることを特徴とする請求項５に記載の装置。
【請求項１２】
顆粒がニコチン添加剤を含んでいることを特徴とする請求項５に記載の装置。
【発明の詳細な説明】
【技術分野】
【０００１】
この発明は楽しい経験を提供する経口装置に関するものである。
【背景技術】
【０００２】
そのような経験を提供するものとしてはチューインガムなどの食品類がある。非食品としてはタバコ、葉巻、パイプタバコおよび噛みタバコなどがある。以下に開示する装置は特にタバコ、葉巻、パイプタバコなどの健康的な代替品を意図するものである。
【０００３】
人間の呼吸管は上下の気道に分けることができる。上気道としては鼻、口、咽頭および喉頭などがある。下気道は気管、気管支、細気管支などから構成される。上下の気道間の分岐は通常喉頭と気管との連結部と考えられている。この発明の新規な装置は口吸気に基礎を置いたものである。
【０００４】
口気道について考えると、口流れの通路は３個の領域に分割される。つまり（１）唇と前歯と舌の前端からなる入口、（２）舌と硬口蓋とによって画定される中間領域とアーチ状チャンネル、（３）通路が鼻咽頭に会合しおよび流れが垂直になる口部（ｏｒａｌ  ｐｈａｒｙｎｘ）である。空気の流速は明らかに変動するが、０．５Ｌ／ｓｅｃであるとしよう。
【発明の開示】
【課題を解決するための手段】
【０００５】
この発明の目的のひとつは人々に吸気感覚を楽しんで貰うことにある。この発明は基本的にはマウスピースを具えた管状の装置からなるものである。管状部分は芳香粉末と口に連なる空気流中に粉末の流れを計量供給する形状とを有している。
【０００６】
管状部分のサイズと形状とは装置に望まれる粉末容量および外観および使用者の快感に応じて変化できるものである。
【０００７】
この新奇な装置の使用はタバコの使用にある程度類似する。マウスピースを介して使用者が吸気すると、管状部分とマウスピースを経て新鮮な空気が末端に流れ、ついで使用者の口に入る。吸気毎に芳香粉末が使用者の口中に送り込まれる空気流と混合される。
【０００８】
吸気が行われると、粉末粒子が特に舌の上に付着する。人間の舌は味に特に敏感であり、ある鼻通路は吸気中に臭いを感じるので、脳は装置に楽しい経験をもつようになる。設計により、装置は気道の前部つまり歯から口蓋中央部までにおいて粉末の付着を生じる。粉末粒子が咽頭に達すると粉末が苦みを生じるので、気道のこの部分での粉末の付着は重要である。
【０００９】
この発明の装置は２相流（または空気と粉末）を制御して第１と第２の領域において粉末粒子を付着させかつ第３以上の領域での粒子付着を回避するように設計されている。この発明の装置は２相流について特別の効果を達成すべく、以下の物理的な事項を変化させることができる。つまり空気の流速、空気流の体積、空気流の方向、粉末密度、粉末粒子サイズおよび唾液中での粉末溶解の速さなどがそれである。
【実施例】
【００１０】
図１において、この発明の装置はマウスピース１、中空または管状の円筒状本体２および装置中に空気を引き入れるための末端フィルターまたは端部キャップ３を有している。一般に該装置はタバコよりは若干太くて長いが葉巻よりは細くて短いものである。
【００１１】
図２において、装置を通って引込まれる空気流がない場合には、粉末１７が押上げリング１６、内管１３、外管１４、下側ゲート２５および上側ゲート１８間の領域内に閉じ込められている。使用者が吸気すると、空気１１が末端フィルター３を経て装置内に流れ込む。ついで空気は内管１３と下側ゲート２５のチャンネル２３を通って上側ゲート１８の方に流れる。
【００１２】
上側ゲート１８のチャンネル２４に到達する前に、空気は粉末１７を含んだ領域を経て流れる。空気はある量の粉末を巻き込んで上側ゲート１８のチャンネル２４を通る２相流となる。この２相流２１はマウスピース１９中のチャンネル２０を通過し、最終的には角度付きチャンネル２７を経て口中に至る。
【００１３】
空気が下側ゲート２５と上側ゲート１８との間の領域を通過して芳香粉末が巻き込まれると、リング１６と粉末１７に対して作用している圧縮バネ１５に反応して追加の粉末が連続的にこの領域に供給される。
【００１４】
マウスピース１９の出口にある角度付きチャンネル２７が２相流を選択された角度に指向させて粉末を使用者の口中に分布して咽頭中への粉末流の通過を回避する。粉末は使用者の舌、口蓋および通常唾で覆われている他の表面に当たり、咽頭を通過しない。
【００１５】
図３に示すのはマウスピース１９の構造である。角度付きチャンネル２７の個数はチャンネル直径とマウスピース直径に応じて１個から適宜な個数まで変化可能である。チャンネルの最小直径は粉末のチャンネル２７中に詰まる傾向により制約される。チャンネル２７の横断面形状は異なる目的例えば製造工程のために変更できる。
【００１６】
図４は下側ゲート２５または上側ゲート１８のどちらかの構造である。このゲートは同じサイズである必要はないが、上側ゲート１８の通路２４を若干大きくして、粉末が空気中に巻き込まれたときに２相流を受け入れるようにすることを優先する。
【００１７】
図５に示すのは、使用者の口中に角度付きチャンネル２７より出る２相流の流れパターンを示す。２相流は明らかにマウスピース１９から意図されたように広く拡散する。
【００１８】
図６に示す装置はダックビル（ｄｕｃｋｂｉｌｌ）チェック弁３６を有している。粉末１７は内管３５、押圧板３４およびダックビルチェック弁３６間の空間中に含まれる。圧縮バネ３２が連続的に粉末１７をダックビルチェック弁３６の方に付勢する。バネ３２が粉末１７をダックビルチェック弁３６と開口３９の方に押圧するが吸気はなく、粉末粒子間の摩擦と粉末とダックビルチェック弁との間の摩擦が粉末を開口３９から出るのを防止する。
【００１９】
空気がフィルターまたは末端キャップ３１を経て吸気されると、空気は内管３５と外管４２との間の空間３３を通って流れる４６。空気は隙間４１に流れてダックビルチェック弁３６中に至り開口３９に連なる３７空間４３中の粉末１７を拾う。開口３９を出て２相粉末と空気流はマウスピース１９中のチャンネル２７を通過して使用者の口中に出る２１。
【００２０】
図７に示すのは、この装置の第３の実施例であって、空気はフィルターまたはキャップ５９を経て吸気されて、圧縮バネ５７を含む管５３の空間５６に流れ込む。圧縮バネ５７は空気の通過を許すが粉末１７の空間５６への通過は許さない多孔性のバネ板５５に作用する。粉末１７は領域５２中で空気がその中を通過してある量の粉末を巻き込むに充分な粒子サイズである。巻き込んだ粒子とともに、２相流がマウスピース１９のチャンネル５１中で起きて、流れが２１で示すように口中にはいる。粉末１７が使われると、バネ５７が粉末１７を圧縮して適宜な量の粉末を領域５２に再供給する。
【００２１】
図８、９に示すのはこの発明の第４の実施例であって、吸気が行われると、空気８１がフィルターまたは端部キャップ６９と環状フィルター７２とに流れる。フィルター６９を通って吸気された空気はバネ６７を有した空間６６中に通過する。空気は粉末１７を通り領域６０で粉末を巻き込み、マウスピース６２のチャンネル６１中に２相流を形成する。
【００２２】
管側壁６３中の環状フィルター７２は粉末１７とマウスピース６２間の複数のスロット７１に至る。スロット７１を通る追加の空気流は追加の粉末を巻き込みチャンネル６１内で２相流と混合する。２相流は２１においてマウスピース６２を出る。さらなる変化例にあっては、非孔性バネ板６５が全ての吸気をフィルター７２、スロット７１を通らせる。
【００２３】
図１０に示すのは、螺旋コア式の設計であって、バネは除かれて管８９中に螺旋コア８６が配置されている。粉末は該螺旋コア８６内に緩く入っている８５。吸気されると、空気８８はフィルター８７を通りついで粉末と螺旋コア８６とを通過する。
【００２４】
空気が螺旋コア８６と粉末とを通過すると、粉末の一部が巻き込まれて２相流を生成し、これがマウスピース８２内のチャンネル８３に入る。螺旋コア８６は循環空気流を生成し、吸気が続くとこれが全ての粉末を巻き込む。２相流はついで８１で示すようにマウスピース８２を出る。環状フィルター８４が追加の空気を受け入れて巻き込まれた粉末の空気に対する混合比をチャンネル８３内で調節する。
【００２５】
装置が垂直式の場合には、螺旋コア８６が粉末が落下して密になる傾向を和らげる働きをする。螺旋コア８６のピッチは小さくして粉末を制御するようにしなければならない。吸気中装置は殆ど水平に近いが、梱包、出荷または貯蔵中は殆ど垂直である。
【００２６】
図１０に用いられるマウスピース８２においては、２相流はマウスピースの端部に非常に近い位置でマウスピースを離れる。人間の口は通常唾液で湿っているので、マウスピースからの出口は唾液と粉末粒子の混合物で塞がれることがある。この閉塞を避けるべく、マウスピース８２は、出口をその中心線近くに配置し出口の角度は保ったままになるように、変形される。
【００２７】
図１１において、改造マウスピース９０の２相流チャンネル９７は２個の小さなチャンネル９１に連なっており、マウスピースの中心線近くで９２において開口９４、９５に角度をなす。２相流９３はマウスピースの中心近くから口に入る。
【００２８】
図１２に図１０の装置に取り付けられた変形マウスピース９０を示す。
【００２９】
図１３、１４において、図１０、１２の螺旋コア１００は変形されてバネ状の形状となってマウスピース１０１に取り付けられる。螺旋コア１００は管１０２中に緩く適合し、１０３において末端１０５に当接している。マウスピース１０１を押圧すると、螺旋コア１００は圧縮解放されて空間１０４内の粉末を乱し、粉末の詰まりを回避する。
【００３０】
図１５、１６に示すこの発明の装置の第６の実施例において、フィルター１３６は管１０２と螺旋コア１００を越えたマウスピース１０１への入口に位置される。孔１３８のサイズを調節することにより、２相流中の粉末粒子の比を制御できる。さらに孔１３８の形状もまた２相流の挙動に影響を与える。例えば図１６に示すように、孔は円形１４０、五角形１４１または三角形１４２であってもよく、サイズ１３９が異なってもよい。
【００３１】
図１７、１８にこの発明の装置の第７の実施例を示す。内管１１１が外管１１２に対して軸状に設けられており、これにより環状隙間１０６を与えている。粉末１０５は内管１１１内に置かれ、内管１１１には環状隙間１０６に連なる孔１１８が形成されている。１１０に示すように粉末１０５は孔１１８を通って隙間１０６に流れようとする。使用者が吸気すると、空気流１０７は末端８７に入り、隙間１０６を通って移動して１０８、粉末１１０を巻き込んで２相流１０９を形成する。２相流はついでマウスピース１１３に入り通路１１６を通って流出する。
【００３２】
図１８に示すように内管はキャップ１１４、１１５を有しており、タブ１２０とともに環状隙間１０６への通路を構成している。
【００３３】
図１９にマウスピースの他の変形を示す。この改造マウスピース１３０は水平・垂直主軸を有した楕円形であって、使用者が通常使用するときは立っている。図２０に示すようにマウスピース１３０を適切に管１１２に取り付けると、孔１１８の列が下方を指向して、粉末１０５は重力を利用して内管１１１から環状隙間１０６中に出る。上記のように環状隙間１０６中の空気は２相流１０９となってマウスピース１３１を出る。
【００３４】
第７の実施例の内管１１１の孔１１８は出荷・使用前の貯蔵中はシールされなければならない。図２１に示すのは変形端部キャップまたはフィルター１５０であって、その中身の詰まった端部１５６は内管１１１に挿入されて管端部をシールする。使用時には、空気はキャップ１５０の中空部１５４からスロット１５１を経て内管１１１と外管１１２との間の環状隙間１０６に流れ込む。
【００３５】
図２２Ａに内管１１１の孔１１８を閉塞するためのシール帯体１４０の構造を示す。このシール帯体は中央近くに孔ライン１４５、１４６を具えた紙にするのが望ましい。これら２本の孔ライン１４５、１４６はシール帯体を図２２Ｂの１４７に示した形状にする際のシール帯体を曲げるための便利な折り線を与えるものである。帯体１４７の端部１４１、１４３近くには２本の追加の孔ライン１４２、１４４が端部を強制分断するためにある。孔１１８について組み立てる前に帯体１４０は形状１４７に折り曲げられる。
【００３６】
図２３Ａに内管１１１と外管１１２との間の装置内部のシール帯体１４７を示す。これは孔１１８をシールして粉末が環状隙間１０６内に漏出するのを防止するものである。図２３Ｂに示すシール帯体１４７は末端キャップ１５０を包絡している。この帯体１４７は端部キャップ１５０内のノッチ１５３、１５８に適合する。使用者が帯体の中央部１４８を握ったときに、ノッチ１５３、１５８により帯体１４７は長手方向に滑動できる。
【００３７】
図２４、２５に示すように、使用者はシール帯体１４７を内管１１１の孔１１８から引っ張り出して粉末を露出させて、その一部が環状隙間１０６中に流れる。２個のシール帯体端部１４１、１４３は端部キャップ１５０のノッチ１５３、１５８より大きいので、図２１に示すようにこれらはノッチを通過できない。帯体は孔ライン１４２、１４４において破断して、端部１４１、１４３を離れ、ノッチ１５３、１５８に詰まってノッチ１５３、１５８を介しての粉末の散逸を防止する。
【００３８】
図２６にこの発明の装置の変化例を示す。装置２００は２個の半筒状管２０１、２０２を有している。管２０１、２０２は仕切２０５により分断されている。管２０２は使用前に粉末２０４を含んでいる。２０３で示すように、管２０１、２０２間には開口がある。
【００３９】
装置２００の末端２０６には計量供給スロット２０７があり、空気流２０８をして管２０１を通過させる。使用者がマウスピース２０９の端部２０１で吸気すると、空気２０８はスロット２０７を流過して装置２００の底部２１７近くで粉末と混合する。ついで流れは空気−粉末２相流２１９となり、マウスピース２０９を通って使用者の口に入る。
【００４０】
末端２０６の近くには薄いフィルムドアー２１１があり、通常は閉じられて、使用者により空気２０８が引込まれてドアーを強制的に開かない限りは、底部２１７近くの粉末が管２０１内に移動するのを防止する。
【００４１】
図２７にマウスピース２０９の形状の詳細を示す。空気粉末流２１９がマウスピース２０９に入ると、障壁２５５が流れの下部２１６を流れの上部２１８に押しやり流れ２２０となる。該流れ２２０はついで使用者の口に入る前に表面２１２により角度２１３で再指向２２１される。粉末粒子の重量により粉末は舌と周囲の唾液で覆われた口の組織の上に付着する。
【００４２】
図２８に図２６実施例の末端の変形例を示す。管２０２からの粉末は方向２３２にチャンネル２３０を通って流れて管２０１中に至る。チャンネル２３０に流入した後粉末は管２０１中に直接には流れずに、障壁２５０が粉末を方向２３４、２３５に押しやり、流れは開口２５１、２５２に至る。障壁２５０は粉末がランダムに管２０１に流れる傾向を減殺し薄フィルム２１１の目的に寄与する。チャンネル２３０のサイズは粉末の流れを増加・低減するように設計でき、したがって、粉末の流れを計量供給する働きをする。
【００４３】
周囲からの空気流２３６、２３７および２３８は空気スロット２４０、２４１、２４２を通過する。図２８Ａ、Ｃにおいて、方向２３４、２３５に流れた後空気流２３７は粉末を管２０１中に２相流（空気と粉末）として運搬する。スロット２４０、２４１および２４２のサイズは入ってくる空気の流速を計量供給するように設計される。
【００４４】
図２６に示すように、重力２６０により管２０２から管２０１に粉末を動かすような装置の配列を使用者が自然に知るようにマウスピース２０９は形状付けられている。製造時には、一片の材料がスロット２４０を経てチャンネル２３０に挿入されて粉末を管２０２から出ないようにする。使用の直前に、該材料片がスロット２４０から引き出される。
【００４５】
上記されたように、マウスピースは空気粉末混合物を喉に対して斜めに指向させて喉を直接指向することを回避するように設計されている。粉末粒子は舌や口管中によく付着するようなサイズにされている。粒子サイズは１００〜２５０ｍｍであるのが望ましい。芳香粉末顆粒がよく作用する。顆粒化プロセスでは砂糖、クエン酸および芳香粉末（コーヒー、ミント、ストロベリーなど）の全ての成分が個々の顆粒に結合される。これに代えて、砂糖顆粒、柑橘類顆粒および顆粒状の芳香粉末を一緒に混合してもよい。
【００４６】
適切な芳香粉末としてはスイス・ジュネーブのＦｉｒｍｅｎｉｃｋ社によるＤｕｒａｒｏｍｅ（商標名）などがある。これらの粉末は口中で迅速に溶解する物質でカプセル化されて、芳香を迅速に放出する。微細な珪酸塩凝結防止剤（ａｎｔｉ−ｃａｋｉｎｇ  ａｇｅｎｔ）を添加してもよい。
【産業上の利用可能性】
【００４７】
この発明は経口嗜好品などの製造分野において広く利用される。
【図面の簡単な説明】
【００４８】
【図１】この発明の装置の第１の実施例の斜視図である。
【図２】図１の装置の長手方向断面図である。
【図３Ａ】図１のマウスピースの端面図である。
【図３Ｂ】図１のマウスピースの断面図である。
【図３Ｃ】同じく斜視図である。
【図４Ａ】図２のゲートの断面図である。
【図４Ｂ】図２のゲートの斜視図である。
【図５Ａ】図３Ｂにおける角度付チャンネルの空気流を示す端面図である。
【図５Ｂ】同じく側面図である。
【図６】この発明の装置の第２の実施例の長手方向断面図である。
【図７】同じく第３の実施例の長手方向断面図である。
【図８】同じく第４の実施例の長手方向断面図である。
【図９Ａ】同じく第４の実施例の長手方向断面図である。
【図９Ｂ】図９Ａのマウスピースの内部端面図である。
【図１０】この発明の装置の第５の実施例の長手方向断面図である。
【図１１Ａ】図１０の装置のためのマウスピースの長手方向断面図である。
【図１１Ｂ】図１１Ａのマウスピースの端面図である。
【図１２】図１１のマウスピースを具えた図１０の装置の長手方向断面図である。
【図１３】図１０〜１２の装置のさらなる変化実施例の部分的長手方向断面図である。
【図１４】図１３の完全な装置の長手方向断面図である。
【図１５】マウスピース近くにフィルターを具えたこの発明の装置の第６の実施例の長手方向断面図である。
【図１５Ａ】図１５のフィルターの平面図である。
【図１６】図１５のフィルターの変化形態の平面図である。
【図１７】この発明の装置の第７の実施例の長手方向断面図である。
【図１８】図１７の装置における内部管キャップの平面図である。
【図１９】非円筒状マウスピースの斜視図である。
【図２０】図１９のマウスピースを具えた図１７の装置の長手方向断面図である。
【図２１Ａ】末端キャップの変形例の斜視図である。
【図２１Ｂ】同じく長手方向断面図である。
【図２１Ｃ】同じく平面図である。
【図２２Ａ】内部シール帯の平面図である。
【図２２Ｂ】折畳み内部シール帯の斜視図である。
【図２３Ａ】図２１の端部キャップと図２２のシール帯の変形例の長手方向断面図である。
【図２３Ｂ】組み立てられた端部キャップとシール帯との部分斜視図である。
【図２４】シール帯を一部除いた装置の長手方向断面図である。
【図２５】シール帯を完全に除いた装置の長手方向断面図である。
【図２６】この発明の装置の第８の実施例の長手方向断面図である。
【図２６Ａ】同じく末端端面図である。
【図２６Ｂ】図２６の装置の側面断面図である。
【図２７Ａ】図２６の装置のマウスピースの部分側面図である。
【図２７Ｂ】同じく部分長手方向断面図である。
【図２７Ｃ】同じく端面図である。
【図２８Ａ】図２６の装置の末端部の側面長手方向断面図である。
【図２８Ｂ】図２８Ａの末端部の水平長手方向断面図である。
【図２８Ｃ】図２８Ａ中の線２８Ｃに沿って取った縦長手方向断面図である。
【図２８Ｄ】図２８Ｂ中の線２８Ｄに沿って取った第２の横長手方向断面図である。
【符号の説明】
【００４９】
１、１９：  マウスピース
１７：  粉末
２１：  ２相流
【図１】
2007511437.tif 000002
【図２】
2007511437.tif 000003
【図３Ａ】
2007511437.tif 000004
【図３Ｂ】
2007511437.tif 000005
【図３Ｃ】
2007511437.tif 000006
【図４Ａ】
2007511437.tif 000007
【図４Ｂ】
2007511437.tif 000008
【図５Ａ】
2007511437.tif 000009
【図５Ｂ】
2007511437.tif 000010
【図６】
2007511437.tif 000011
【図７】
2007511437.tif 000012
【図８】
2007511437.tif 000013
【図９Ａ】
2007511437.tif 000014
【図９Ｂ】
2007511437.tif 000015
【図１０】
2007511437.tif 000016
【図１１Ａ】
2007511437.tif 000017
【図１１Ｂ】
2007511437.tif 000018
【図１２】
2007511437.tif 000019
【図１３】
2007511437.tif 000020
【図１４】
2007511437.tif 000021
【図１５】
2007511437.tif 000022
【図１５Ａ】
2007511437.tif 000023
【図１６】
2007511437.tif 000024
【図１７】
2007511437.tif 000025
【図１８】
2007511437.tif 000026
【図１９】
2007511437.tif 000027
【図２０】
2007511437.tif 000028
【図２１Ａ】
2007511437.tif 000029
【図２１Ｂ】
2007511437.tif 000030
【図２１Ｃ】
2007511437.tif 000031
【図２２Ａ】
2007511437.tif 000032
【図２２Ｂ】
2007511437.tif 000033
【図２３Ａ】
2007511437.tif 000034
【図２３Ｂ】
2007511437.tif 000035
【図２４】
2007511437.tif 000036
【図２５】
2007511437.tif 000037
【図２６】
2007511437.tif 000038
【図２６Ａ】
2007511437.tif 000039
【図２６Ｂ】
2007511437.tif 000040
【図２７Ａ】
2007511437.tif 000041
【図２７Ｂ】
2007511437.tif 000042
【図２７Ｃ】
2007511437.tif 000043
【図２８Ａ】
2007511437.tif 000044
【図２８Ｂ】
2007511437.tif 000045
【図２８Ｃ】
2007511437.tif 000046
【図２８Ｄ】
2007511437.tif 000047
【手続補正書】
【提出日】平成17年9月19日(2005.9.19)
【手続補正１】
【補正対象書類名】特許請求の範囲
【補正対象項目名】全文
【補正方法】変更
【補正の内容】
【特許請求の範囲】
【請求項１】
管状部分と、マウスピースと、管状部分中の粒状粉末と、マウスピースを通しての吸気に反応して空気を導入する空気導入手段と、空気と粉末との混合を計量供給して２相流を形成する計量供給手段と、２相流中の実質的に全ての粉末を舌と口中に指向させる指向手段とを有してなる嗜好用吸気装置。
【請求項２】
指向手段が粉末がマウスピース中に配置されていて２相流中の粉末をマウスピースの中心線に対してある角度で分散させることを特徴とする請求項１に記載の装置。
【請求項３】
空気を粉末と混合させる装置内に混合領域を有してなることを特徴とする請求項１に記載の装置。
【請求項４】
装置内への空気導入手段と空気と粉末を混合する計量供給手段とが装置の末端に配置されていることを特徴とする請求項１に記載の装置。
【請求項５】
粉末が顆粒状であることを特徴とする請求項１に記載の装置。
【請求項６】
顆粒状粉末が被覆顆粒を含んでいることを特徴とする請求項５に記載の装置。
【請求項７】
少なくとも１種の芳香材に加えて顆粒が甘味料とクエン酸を含んでいることを特徴とする請求項５に記載の装置。
【請求項８】
顆粒状粉末が甘味料、クエン酸または芳香材のいずれかを含んだ顆粒の混合物を含んでいることを特徴とする請求項５に記載の装置。
【請求項９】
粉末中の芳香材がミント、コーヒー、紅茶、芳香性果物および芳香性ハーブからなる群から選ばれることを特徴とする請求項１に記載の装置。
【請求項１０】
粉末がニコチン添加剤を含んでいることを特徴とする請求項１に記載の装置。
【請求項１１】
顆粒中の芳香材がミント、コーヒー、紅茶、芳香性果物および芳香性ハーブからなる群から選ばれることを特徴とする請求項５に記載の装置。
【請求項１２】
顆粒がニコチン添加剤を含んでいることを特徴とする請求項５に記載の装置。
【請求項１３】
粉末粒子の密度とサイズとが２相流から舌および口中に付着するように選ばれることを特徴とする請求項１に記載の装置。
【請求項１４】
中空の本体と、マウスピースと、本体中の粒状粉末と、吸気に反応してマウスピースを通して空気を導入する本体上の導入手段と、粉末を空気と混合して２相流を形成する計量供給手段と、実質的に直接に舌と口中に２相流中の粉末の付着を行なわせる付着手段とを有してなる吸気装置。
【請求項１５】
粉末の付着手段がマウスピース中にあり、かつ２相流中の粉末をマウスピースの中心線に対してある角度で分散させることを特徴とする請求項１４に記載の装置。
【請求項１６】
粉末の付着手段が粉末粒子の密度とサイズとの選択を含んでいることを特徴とする請求項１４に記載の装置。
【請求項１７】
粒子状粉末がニコチン添加剤を含んでいることを特徴とする請求項１４に記載の装置。
【請求項１８】
粒子状粉末が芳香材を含んでいることを特徴とする請求項１４に記載の装置。
【国際調査報告】
2007511437.tif 000048